(57)【要約】      （修正有）【課題】抗菌性装飾用積層体、並びに前記積層体に関するシステム、装置及び方法を提供する。【解決手段】抗菌剤８１を含有する第１積層体層６２ａ及び第２積層体層６２ｂを含む装飾用積層体１０が開示される。装飾層７６は、第１積層体層６２ａと第２積層体層６２ｂの間に選択的に配置される。第１及び第２積層体層は、熱可塑性フルオロポリマー材料７４を含む。第１積層体層６２ａ、装飾層７６及び第２積層体層６２ｂを共に積層して装飾用積層体１０を形成し、積層体は構造構成要素２８に付加するように構成されている。【選択図】図１
2020026134.tif 000002
【特許請求の範囲】
【請求項１】
装飾用積層体（１０、１１０、２１０、３１０）であって：
抗菌剤（８１、１８１、２８１、３８１）を含有する第１積層体層（６２ａ、１６２ａ、２６２ａ、３６２ａ）；
第２積層体層（６２ｂ、１６２ｂ、２６２ｂ、３６２ｂ）；及び
前記第１積層体層と前記第２積層体層の間に選択的に配置された装飾層（７６、１７６、２７６、３７６）；を含み、
前記第１積層体層及び前記第２積層体層がそれぞれ熱可塑性フルオロポリマー材料（７４、１７４、２７４、３７４）を含み、並びに
前記第１積層体層、前記装飾層及び前記第２積層体層が共に積層されて、構造構成要素（２８、１２８、２２８、３２８）へ付加するように構成された前記装飾用積層体を形成している、装飾用積層体。
【請求項２】
前記装飾用積層体と前記構造構成要素（１２８、２２８、３２８）の接合面（１９６、２９６、３９６）の間に配置された接着層（１９０、２９０、３９０）をさらに含む、請求項１に記載の装飾用積層体（１１０、２１０、３１０）。
【請求項３】
前記装飾用積層体層の第１面（２７０ａ、３７０ａ）に隣接する１つ以上の追加の積層体層（２６２ｃ、３６２ｃ）、前記装飾用積層体層の第２面（２７０ｂ、３７０ｂ）に隣接する１つ以上の追加の積層体層、又は前記装飾用積層体層の第１面（２７０ａ、３７０ａ）及び前記装飾用積層体層（２７６、３７６）の第２面（２７０ｂ、３７０ｂ）の両方に隣接する１つ以上の追加の積層体層をさらに含む、請求項１又は２に記載の装飾用積層体（２１０、３１０）。
【請求項４】
前記装飾用積層体層（３７６）が、前記構造構成要素（３２８）への付加時に前記装飾用積層体の位置合せを容易にする位置合せパターン（４００）で配置された１つ以上の材料（３８０、３８２）を含む、請求項１から３のいずれか一項に記載の装飾用積層体。
【請求項５】
前記抗菌剤（１８１）が、前記第１積層体層（１６２ａ）内に分散された粉末化銀である、請求項１から４のいずれか一項に記載の装飾用積層体。
【請求項６】
前記抗菌剤（８１、１８１、２８１、３８１）が、静菌剤、静真菌剤、抗生剤、殺真菌剤又はその組合せの少なくとも１つを含む、請求項１から５のいずれか一項に記載の装飾用積層体。
【請求項７】
前記装飾層（１１０、２１０、３１０）が前記第２積層体層（１６２ｂ、２６２ｂ、３６２ｂ）上に配置された樹脂層（１８４、２８４、３８４）を含み、前記樹脂層が１つ以上の熱硬化性樹脂材料（１８６、２８６、３８６）を含む、請求項１から６のいずれか一項に記載の装飾用積層体。
【請求項８】
前記構造構成要素（２８、１２８、２２８、３２８）が、建築内部構造構成要素、建築構造複合パネル、航空機内部構造構成要素、回転翼機内部構造構成要素、宇宙船内部構造構成要素、船舶内部構造構成要素、自動車内部構造構成要素又はトラック内部構造構成要素を含む、請求項１から７のいずれか一項に記載の装飾用積層体（１０、１１０、２１０、３１０）。
【請求項９】
装飾用積層体システムであって：
接合面（１９６、２９６、３９６）を有する構造構成要素（１２８、２２８、３２８）；
前記構造構成要素の接合面に付加された装飾用積層体（１１０、２１０、３１０）であって：
透過性の外観を有し、抗菌剤（１８１、２８１、３８１）を含有する第１積層体層（１６２ａ、２６２ａ、３６２ａ）；
不透明の外観を有する第２積層体層（１６２ｂ、２６２ｂ、３６２ｂ）であって、前記第１積層体層及び前記第２積層体層が、それぞれ熱可塑性フルオロポリマー材料（１７４、２７４、３７４）を含む、第２積層体層；
前記第１積層体層と前記第２積層体層の間に配置された装飾層（１７６、２７６、３７６）；
前記第２積層体層上に配置された樹脂層（１８４、２８４、３８４）；
を含む、装飾用積層体；並びに
前記装飾用積層体と前記構造構成要素の接合面の間に配置された接着層（１９０、２９０、３９０）；
を含む、装飾用積層体システム。
【請求項１０】
前記装飾用積層体（２１０、３１０）が、前記樹脂層（２８４、３８４）の第１面（２８８ａ、３８８ａ）又は前記樹脂層の第２面（２８８ｂ、３８８ｂ）のいずれかに隣接する１つ以上の追加の積層体層（２６２ｃ、３６２ｃ）をさらに含む、請求項９に記載の装飾用積層体システム。
【請求項１１】
前記抗菌剤（１８１、２８１、３８１）が粉末化金属又はフェノールのどちらかである、請求項９又は１０に記載の装飾用積層体システム。
【請求項１２】
前記抗菌剤（１８１、２８１、３８１）が、静菌剤、静真菌剤、抗生剤、殺真菌剤又はその組合せの少なくとも１つを含む、請求項９から１１のいずれか一項に記載の装飾用積層体システム。
【請求項１３】
ビークルであって：
構造構成要素（２８、１２８、２２８、３２８）；及び
前記構造構成要素に付加された装飾用積層体（１０、１１０、２１０、３１０）であって：
抗菌剤（８１、１８１、２８１、３８１）を含有する第１積層体層（６２ａ、１６２ａ、２６２ａ、３６２ａ）；
第２積層体層（６２ｂ、１６２ｂ、２６２ｂ、３６２ｂ）；及び
前記第１積層体層と前記第２積層体層の間に選択的に配置された装飾層（７６、１７６、２７６、３７６）；を含む装飾用積層体を含み、
前記第１積層体層及び前記第２積層体層がそれぞれ熱可塑性フルオロポリマー材料（７４、１７４、２７４、３７４）を含み、並びに
前記第１積層体層、前記装飾層及び前記第２積層体層が共に積層されて、前記装飾用積層体を形成している、ビークル。
【請求項１４】
光源（４１２）をさらに備え、前記装飾層（３７６）が、１つ以上の可視材料（３８０）、及び前記光源から放出される光への暴露時に非可視状態から可視状態に変化する１つ以上の非可視光活性化材料（３８２）を含む、請求項１３に記載のビークル。
【請求項１５】
前記装飾用積層体層（３７６）が、前記構造構成要素（３２８）への付加時に前記装飾用積層体（３１０）の位置合せを容易にする位置合せパターン（４００）で配置された１つ以上の材料（３８０、３８２）を含む、請求項１３又は１４に記載のビークル。
【発明の詳細な説明】
【技術分野】
【０００１】
本開示は、積層体及び積層体の製造方法に関する。より具体的には、開示された例は装飾用積層体に関する。
【背景技術】
【０００２】
装飾用積層体は、壁の表面、カウンタートップ及び航空機の内部構造構成要素などの他の構造を含む、様々な用途で使用されている。例えば、装飾用積層体は、客室内部の側壁及び天井パネル、床パネル、収納ビン、トイレ及びギャレーのパネル及び構造、隔壁、窓用日よけ並びに他の航空機内部構造構成要素などの航空機内部構造構成要素の表面に付加され得る。
【０００３】
通例の使用の過程で、人々は航空機の内面に接触して、微量の細菌又は他の微生物を装飾用積層体に移行させ得る。さらに荷物、食品、非無菌空気などが、微量の微生物又は微生物の増殖を促進する物質を移行させ得る。そのような成長を阻害し、及び／又はそのような微生物を排除することは、清浄度を改善し、微生物の蔓延を防止するために望ましい。この目的のためにいくつかの抗菌性塗料が使用されているが、審美的及び機能的に制限されており、装飾用積層体に塗布すると設計要素を見えにくくし得る。塗料で塗布されたグラフィック又は複雑なパターンは、耐久性に欠け、製造が困難であり及び／又は高価になり得る。
【発明の概要】
【課題を解決するための手段】
【０００４】
本開示は、抗菌性装飾用積層体に関するシステム、装置及び方法を提供する。いくつかの例において、装飾用積層体は、抗菌剤を含有する第１積層体層及び第２積層体層を含むことができる。装飾層は、第１積層体層と第２積層体層の間に選択的に配置され得る。第１及び第２積層体層は、熱可塑性フルオロポリマー材料を含むことができる。第１積層体層、装飾層及び第２積層体層を共に積層して装飾用積層体を形成することができ、積層体は構造構成要素に付加するように構成され得る。
【０００５】
いくつかの例において、装飾用積層体システムは、接合面を有する構造構成要素及び接合面に付加された装飾用積層体を含むことができる。装飾用積層体は、抗菌剤を含有する透過性の外観の第１積層体層及び不透明の外観の第２積層体層を含むことができる。第１及び第２積層体層は熱可塑性フルオロポリマー材料を含むことができ、装飾層を第１積層体層と第２積層体層の間に配置することができる。装飾用積層体は、第２積層体層上に配置された樹脂層と、装飾用積層体と構造構成要素の接合面の間に配置された接着層をさらに含むことができる。
【０００６】
いくつかの例において、ビークルは、構造構成要素及び構造構成要素に付加された装飾用積層体を含むことができる。装飾用積層体は、抗菌剤を含有する第１積層体層、第２積層体層並びに第１積層体層と第２積層体層の間に配置された装飾層を含むことができる。第１及び第２積層体層は、熱可塑性フルオロポリマー材料を含むことができる。第１積層体層、装飾層及び第２積層体層を共に積層して装飾用積層体を形成することがでる。
【０００７】
形態、機能及び利点は、本開示の様々な例において独立して達成され得て、又はさらに他の例において組合され得て、その詳細事項は、以下の説明及び図面を参照して理解できる。
【図面の簡単な説明】
【０００８】
【図１】本開示の態様による、例示的な抗菌性装飾用積層体の概略図である。
【図２】本教示による、抗菌性装飾用積層体を含む航空機の客室内部の図である。
【図３Ａ】例示的な抗菌性装飾用積層体の分解側面図である。
【図３Ｂ】図３Ａの積層体の組立側面図である。
【図４Ａ】別の例示的な抗菌性装飾用積層体の分解側面図である。
【図４Ｂ】図４Ａの積層体の組立側面図である。
【図５Ａ】別の例示的な抗菌性装飾用積層体の分解側面図である。
【図５Ｂ】図５Ａの積層体の組立側面図である。
【図６】位置システムパターンを備える、付加された抗菌性装飾用積層体をそれぞれ含む、組立構造複合パネルの正面斜視図である。
【図７Ａ】第１及び第２装飾テーマを備える、付加された抗菌性装飾用積層体を備える、航空機内部構造構成要素の正面斜視図である。
【図７Ｂ】光源に暴露された、図７Ａの構造構成要素の正面斜視図である。
【図８】本教示による抗菌性装飾用積層体を製造するための例示的な方法のステップを示すフローチャートである。
【図９】例示的な航空機の製造及び保守点検方法のステップを示すフローチャートである。
【図１０】例示的な航空機の概略図である。
【発明を実施するための形態】
【０００９】
抗菌性装飾用積層体の各種の態様及び例を以下で説明し、関連する図面に示す。別途規定しない限り、本教示による装飾用積層体及び／又はその各種の構成要素は、これに限定されるわけではないが、本明細書に記載、例示及び／又は包含される構造、部品、機能及び／又は変形の少なくとも１つを含有し得る。さらに、特に除外されない限り、本教示に関連して本明細書に記載、例示及び／又は包含される工程ステップ、構造、構成要素、機能及び／又は変形は、開示例間で交換可能であることを含めて、他の同様の装置及び方法に含まれ得る。各種例の以下の説明は、本質的に例示に過ぎず、開示、その利用又は使用の限定を決して意図するものではない。さらに、該例及び以下に記載する例によって提供される利点は本質的に例示であり、すべての例及び例が同じ利点又は同程度の利点を提供するわけではない。
【００１０】
本詳細な説明は、すぐ下に続く、以下のセクション：（１）概要、（２）例、構成要素及び代替案、（３）利点、形態及び特徴並びに（４）結論を含む。例、構成要素及び代替のセクションは、サブセクションＡからＧにさらに分割され、各サブセクションは応じて表記されている。
【００１１】
概要
一般に、抗菌性装飾用積層体は、抗菌材料を含む内層と外層の間に選択的に配置された装飾層を含むことができる。外層は透過性にすることができ、内層は半透明又は不透明にすることができる。装飾層は、装飾的及び／又は機能的パターンで配置された可視及び／又は光活性化材料を含むことができる。積層体は構造又は構造構成要素に付加するように構成することができる。図１は、構造２８に付加された例示的な抗菌性装飾用積層体１０の概略図である。
【００１２】
装飾用積層体１０は、第１層６２ａ、装飾層７６及び第２層６２ｂを含む。装飾層７６は、第１層と第２層の間に選択的に配置される。図１に示すように、選択的に配置されるとは、装飾層７６が、装飾用積層体１０のいくつかの部分において、第１層６２ａと第２層６２ｂの間に配置され、装飾用積層体の他の部分においては、第１層と第２層の間に配置されないことを意味すると理解され得る。第１層６２ａ、装飾層７６及び第２層６２ｂを共に積層して、装飾用積層体１０を形成することができる。
【００１３】
装飾層７６はインク、顔料又は他の可視材料を含み得る。例えば、装飾層は第２層６２ｂ上に印刷されたインクパターンであり得る。装飾層は、あらゆる目的のためにその全体が参照により本明細書に組み入れられている、米国特許第９，７１８，３０２号に記載されているように、追加的又は代替的に光活性化材料を含むことができる。例えば、装飾層はＵＶ光源に暴露されるまで非可視である、紫外線（ＵＶ）活性化顔料を含むことができる。装飾層は、装飾的及び／又は機能的パターンで配置することができる。例えば、層は、製造業者のロゴ、バーコード及び／又は構造２８への付加中に装飾用積層体１０を位置合せしやすくする位置合せパターンを含むことができる。
【００１４】
第２層６２ｂは熱可塑性フルオロポリマー材料を含む。特に、第２層はポリフッ化ビニリデンフィルム、一体型カラーポリフッ化ビニルフィルム及び／又はアルミニウム箔に接着したポリフッ化ビニルフィルムであることができる。第２層は不透明であることができる。
【００１５】
第１層６２ａは、第１面６４ａ及び第２面６４ｂを有する。第１面６４ａは、装飾用積層体１０の構造への付加時に、構造２８から外向きであると記載することができる。第２面６４ｂは、装飾層７６に接する、触及び／又は面することができる。第１層６２ａは光学的に透過性であることができ、装飾層７６を可視とすることができる。また、第１層６２ａも紫外線（ＵＶ）及び／又は赤外線（ＩＲ）光に対して透過性であることができ、第１層に入射するこのような光が装飾層７６を透過し、光活性化材料に影響を及ぼす。
【００１６】
第１層６２ａは、熱可塑性フルオロポリマー材料７４及び抗菌剤８１を含む。抗菌剤としては、これに限定されるわけではないが、静菌剤、静真菌剤、抗生剤及び殺菌剤を含む、任意の有効な化学剤、生物剤及び／又は薬剤の組合せを挙げることができる。例えば、抗菌剤は、銀、銅、ジルコニウム、ナトリウム、カリウム及び／又はその任意の組合せなどの金属であることができる。別の例として、抗菌剤は、パラ−ｔｅｒｔ−アミルフェノール（ＰＴＡＰ）などのフェノールであることができる。
【００１７】
第１層６２ａの抗菌剤８１及び熱可塑性フルオロポリマー材料７４は、任意の有効な方法で包含、接着、凝集又はさもなければ組合されて第１層を形成することができる。抗菌剤は、ポリマー材料全体に均一に分布させることができ、第１層の第１面６４ａに近接して局在化することができ、及び／又はあるパターンに従って配置することができる。抗菌剤は、製造工程の効果に従って分布させることができる。図示の例では、抗菌剤８１は、第１層６２ａの第１面６４ａに向かってより高い濃度で熱可塑性フルオロポリマー材料７４中分散されている。そのような分布は、抗菌剤８１の必要量を最小限に抑えながら、所望の抗菌効果を提供できる。
【００１８】
抗菌剤８１及びポリマー材料は、第１層６２ａの所望の透過度を達成するような方法で組合せることができる。例えば、視覚的な欠陥を最小限に抑えるために、金属剤を微粉末化することができる。特定の考えられる一例において、抗菌剤は、およそ１マイクロメートル、１ナノメートル、又は粉末の視認性を最小限に抑える若しくは他のいくつかの所望の特性を提供する他のサイズスケールのメジアン粒径を持つ、金属粉末を含むことができる。
【００１９】
第１層６２ａは、金属ポリマーナノ複合材（ＭＰＮ）であることができる。銀などの粉末化金属をポリフッ化ビニリデンなどの熱可塑性フルオロポリマーと共析出させて、微粒子ポリマー複合材料を実現することができる。充填率並びにサイズ、サイズ分布及びクラスター間分離などの微細構造特性を選択することによって、所望の光透過、ＵＶ透過及び／又はＩＲ透過が提供され得る。第１層６２ａは、ミクロスケール又はマクロスケールのいずれかで粉末化金属を有する粒子状又は分散質ポリマー複合材を含むことができる。
【００２０】
抗菌剤８１は、第１層６２ａの第１表面６４ａ上に配置することができる。例えば、溶解したフェノール化合物を第１層に均一にコーティングすることができる。又は、透過性インクに懸濁された粉末化金属を、第１層６２ａの所望の透過度を維持しながら、有効な抗菌性被覆を与えるグリッドパターンで第１層６２ａに印刷することができる。
【００２１】
抗菌剤８１は、第１層の積層前にポリマー材料と組合されて第１層６２ａを形成して、装飾用積層体１０を形成することができる。抗菌剤８１は、第１層の積層に続いて第１層６２ａのポリマー材料と組合されて、装飾用積層体１０を形成することができる。
【００２２】
装飾用積層体１０は、第１層と装飾層の間、装飾層と第２層の間及び／又は第２層と構造の間に配置された追加の層をさらに含むことができる。追加の層は、例えば樹脂層、ポリマー積層体層、装飾層及び／又は接着層の１つ以上を含むことができる。
【００２３】
第１層６２ａは、装飾用積層体１０が構造に付加された場合に、構造２８から最大の距離に配置された最外層として記載することができる。抗菌剤８１は、装飾用積層体１０の外面として説明することができる、第１層６２ａの第１面６４ａにて及び／又は第１面６４ａ上に配置することができる。即ち、装飾用積層体１０が構造２８に付加される場合、装飾用積層体に接触する微生物は、第１層６２ａの第１面６４ａ及び抗菌剤８１に接触することができる。
【００２４】
装飾用積層体システムは、装飾用積層体１０及び１つ以上の構造２８を含むことができる。ビークルは、構造２８及び付加された装飾用積層体１０を含むことができる。装飾用積層体１０は、任意のビークル及び／又は建物の構造、構造構成要素及び／又は構造複合パネルに付加することができる。例えば、装飾用積層体は、航空機、回転翼機、宇宙船、船舶、自動車又はトラックの内部構造構成要素に付加することができる。装飾用積層体は、浴室カウンター、ストールパーティション、床、情報看板及び／又はドアなどの、建物の内部構造構成要素にも付加することができる。一般に、微生物が見出され得る表面又は構造構成要素に抗菌性装飾用積層体を付加することが望ましい場合がある。
【００２５】
図２は、装飾用積層体１０などの本明細書で開示される抗菌性装飾用積層体の１つ以上の例で被覆された構造構成要素２８を含む、エアビークル１２の例示的な客室内部を示す。構造構成要素２８は、客室内部側壁１３及び天井パネル１４、床パネル１５、収納ビン１６及び窓用日よけ１７を含む。これに限定されるわけではないが、断熱バリア、防湿バリア、複合ノイズパネル、トイレ及びギャレーのパネル及び構造、隔壁及び貨物ビンライナーを含む、エアビークル１２のその他の構造構成要素は、本教示による抗菌性装飾用積層体によって被覆することができる。
【００２６】
例、構成要素及び代替
以下のセクションでは、例示的な抗菌性装飾用積層体の選択された側面並びに関連するシステム及び／又は方法について記載する。これらのセクションの例は、例示を目的とするものであり、本開示の範囲全体を制限するとして解釈されるべきではない。各セクションは、１つ以上の別個の実施形態若しくは例及び／又は文脈上の若しくは関連する情報、機能及び／若しくは構造を含み得る。
【００２７】
Ａ．例示的な抗菌性装飾用積層体
図３Ａから３Ｂに示すように、このセクションでは、例示的な装飾用積層体１１０について記載する。装飾用積層体１１０は、上記のような抗菌性装飾用積層体１０の一例である。図３Ａは、装飾用積層体１１０の分解側面図であり、図３Ｂは、装飾用積層体の組立側面図である。図示するように、装飾用積層体１１０は、少なくとも第１積層体層１６２ａ及び第２積層体層１６２ｂを含む複数の積層体層１６２を含む。製造したい装飾用積層体１１０に応じて、１つ以上の追加の積層体層１６２を含めることができる。
【００２８】
図３Ａにさらに示すように、第１積層体層１６２ａは、第１面１６４ａ及び第２面１６４ｂを有する。第１積層体層１６２ａは、光を透過させるという点で、透過性の外観１６８又は透明の外観を有する。
【００２９】
積層体層１６２は、約０．２５ミル〜約５．０ミルの範囲の厚さを有することができるが、他の好適な厚さが使用され得る。第１積層体層１６２ａは、約１．０ミル〜約２．０ミルの厚さを有することができる。この範囲内の厚さを選択すると、第１積層体層１６２ａの透過性の外観１６８を促進することができ、それにより、１つ以上の装飾画像を明瞭に表示できるようになる。第２積層体層１６２ｂ及び追加の積層体層１６２はそれぞれ、約２．０ミル〜約４．０ミルの厚さを有することができる。この範囲内の厚さを選択すると、より低コストで広く入手可能な積層体層を使用でき、装飾用積層体を容易に製造することができる。
【００３０】
本例において、第１積層体層１６２ａは、銀及びポリフッ化ビニル（ＰＶＦ）の金属ポリマーナノコンポジット（ＭＰＮ）から構成される。粉末化銀のナノ粒子１８１は、ポリフッ化ビニル（ＰＶＦ）フィルムなどの熱可塑性フルオロポリマー材料１７４全体に均一に分散されている。ナノ粒子濃度及び／又は充填比は、第１積層体層１６２ａの抗菌特性を最大化するが、所望の透過度を維持するように選択することができる。
【００３１】
本例において、第２積層体層１６２ｂも熱可塑性フルオロポリマー材料１７４から構成される。熱可塑性フルオロポリマー材料１７４としては、ポリフッ化ビニル（ＰＶＦ）フィルム、ポリフッ化ビニリデン（ＰＶＤＦ）フィルム、インテグラルカラーポリフッ化ビニル（ＰＶＦ）フィルム、ポリフッ化ビニル（ＰＶＦ）フィルム／アルミニウム箔／接着材料又は別の好適な熱可塑性フルオロポリマー材料を挙げることができる。
【００３２】
使用できるポリフッ化ビニル（ＰＶＦ）フィルムは、イー・アイ・デュポン・ドゥ・ヌムール・アンド・カンパニー（デラウェア州ウィルミントン）からＴＥＤＬＡＲ（ＴＥＤＬＡＲはデラウェア州ウィルミントンのイー・アイ・デュポン・ドゥ・ヌムール・アンド・カンパニーの登録商標である。）という名称で市販されている。使用できるポリフッ化ビニリデン（ＰＶＤＦ）フィルムは、エイブリィ・デニソン・カンパニー（カリフォルニア州グレンデール）からＡＶＩＭＡＲＫ（ＡＶＩＭＡＲＫは、カリフォルニア州グレンデールのＡｖｅｒｙ  Ｄｅｎｎｉｓｏｎ  Ｃｏｒｐｏｒａｔｉｏｎの商標である。）という名称で市販されている。
【００３３】
インテグラルカラーポリフッ化ビニル（ＰＶＦ）フィルムは、ＰＶＦフィルムに装飾色が包含されたポリフッ化ビニル（ＰＶＦ）フィルムで構成されている。ポリフッ化ビニル（ＰＶＦ）フィルム／アルミニウム箔／接着材料は、接着材料と組合された０．７ミルのアルミニウム箔と組合された不透明の外観１７２を有するＰＶＦフィルムを含む。
【００３４】
ポリフッ化ビニル材料は、その物理的靭性、化学的不活性、耐摩耗性及び温度変化に関わらず不変の性能のため、積層体層１６２に有利である。ポリフッ化ビニル材料は、グラフィックの印刷に使用される多種多様なインクを収容することもできる。本明細書で使用する場合、「熱可塑性フルオロポリマー材料」という用語は、ポリフッ化ビニルポリマー（即ち、フッ化ビニルから形成されたポリマー）を含む、ポリフッ化ビニル系材料を示す。フッ素化ポリマーは一般に、フッ化ビニルのポリマー、コポリマー又はターポリマーである。
【００３５】
第２積層体層１６２ｂなどの積層体層１６２は、追加的又は代替的に、非ポリマー材料を含むことができる。例えば、熱可塑性フルオロポリマー材料は、ガラス繊維又は炭素繊維で強化することができる。第２積層体層１６２ｂは、ガラス繊維強化プラスチック及び／又は製織ガラス繊維を含むことができる。そのような強化材料は、交通量の多い領域での使用に有利となり得る。
【００３６】
図３Ａに示すように、第２積層体層１６２ｂは、第１面１７０ａ及び第２面１７０ｂを有する。第２積層体層１６２ｂは、それを通じて光を透過させないという点で不透明の外観１７２又は非透明の外観を有する。
【００３７】
装飾用積層体１１０は、第１積層体層１６２ａと第２積層体層１６２ｂの間に選択的に配置された装飾層１７６をさらに含む。層が層「間に選択的に配置される」又は別の層「に配置される」と記載される場合、層が層上に直接形成され得る、又は１つ以上の介在層がその間に提供され得ることが、当業者によって理解される。
【００３８】
本例では、装飾層１７６は装飾インク層を含む。装飾層１７６は、インクジェット印刷インク、シルクスクリーン印刷インク、顔料系インク、染料系インク、塗料、ステイン、デジタル印刷インク又は別の好適な材料の１つ以上を含むことができる。
【００３９】
装飾層１７６は、第１面１７８ａ及び第２面１７８ｂを含む。装飾層１７６の第１面１７８ａは、第１積層体層１６２ａの第２面１６４ｂに隣接し、装飾層１７６の第２面１７８ｂは、第２積層体層１６２ｂの第１面１７０ａに隣接する。装飾層１７６は、約０．２５ミル〜約５．０ミルの範囲の厚さを有することができるが、他の好適な厚さを使用することもできる。
【００４０】
装飾層１７６は、第１積層体層１６２ａと第２積層体層１６２ｂの間に配置又は付加することができる。装飾層１７６は、第１積層体層１６２ａの第２面１６４ｂに印刷されて、印刷された装飾材料面１６６を形成することができる。装飾層１７６は、第１積層体層１６２ａと第２積層体層１６２ｂの間に配置するか、印刷工程によって第１積層体層１６２ａ上に印刷することができる。印刷工程としては、インクジェット印刷法、シルクスクリーン印刷法、デジタル印刷法又は別の好適な印刷法を挙げることができる。
【００４１】
装飾用積層体１１０は、第２積層体層１６２ｂ上に配置された樹脂層１８４をさらに含む。図３Ａに示すように、樹脂層１８４は、第１面１８８ａ及び第２面１８８ｂを有する。樹脂層１８４の第１面１８８ａは、第２積層体層１６２ｂの第２面１７０ｂに隣接している。樹脂層１８４は、約０．２５ミル〜約５．０ミルの範囲の厚さを有することができるが、他の好適な厚さを使用することもできる。
【００４２】
樹脂層１８４は、装飾層１７６と第２積層体層１６２ｂの間に配置することができる。即ち、樹脂層１８４の第１面１８８ａは、装飾層１７６の第２面１７８ｂに隣接することができ、樹脂層１８４の第２面は、第２積層体層１６２ｂの第１面１７０ａに隣接することができる。そのような一連の層は、上記のように、ガラス繊維を含む第２積層体層１６２ｂと共に使用することができる。
【００４３】
樹脂層１８４は、エンボス樹脂層、プリプレグ樹脂層又は別の好適な樹脂材料層を含むことができる。樹脂層１８４の樹脂材料は、処理時に導入されたテクスチャを形成し、硬化後にそのテクスチャを維持する、テクスチャ保持材料であることができる。エンボス樹脂層１８４は、エポキシ、ポリエステル、フェノール、ポリウレタン及び／又はその組合せからなる１つ以上の熱硬化性樹脂材料１８６を含むことができる。熱硬化性樹脂材料１８６は、樹脂層１８４の熱硬化性樹脂材料１８６に隣接する積層体層１６２、特にポリフッ化ビニル（ＰＶＦ）フィルムにテクスチャ支持、保持及び接着を与えることができる。エンボス樹脂層１８４は、熱硬化性樹脂材料１８６などの着色エンボス可能樹脂とすることができ、この樹脂は、エンボス加工して装飾用積層体１１０にテクスチャを与えることができ、第１積層体層１６２ａ又は別の積層体層１６２上に印刷された画像又はデザインの色又は主色に合せて着色することができる。
【００４４】
装飾用積層体１１０は、装飾用積層体１１０と、内部構造構成要素１２８ａの形態などの構造構成要素１２８の接合面１９６の間に配置された、任意の接着層１９０をさらに含むことができる。図３Ａに示すように、接着層１９０は、第１面１９２ａ及び第２面１９２ｂを含む。接着層１９０の第１面１９２ａは、樹脂層１８４の第２面１８８ｂに隣接し、接着層１９０の第２面１９２ｂは、接合面１９６に隣接している。接着層１９０は、約０．２５ミル〜約５．０ミルの範囲の厚さを有することができるが、他の好適な厚さを使用することもできる。
【００４５】
接着層１９０は、装飾用積層体１１０に付加又は装飾用積層体１１０と一体化できる感圧接着剤１９０ａを含むことができる。感圧接着剤１９０ａは、装飾用積層体１１０が構造構成要素１２８に付加されるときに除去及び廃棄され得る剥離ライナー１９４を有することができる。
【００４６】
接着層１９０は、スプレー接着剤、又は他の好適なスプレー若しくは液体接着材料を含むことができる。スプレー接着剤は、装飾用積層体１１０が構造構成要素１２８に付加されるときに、構造構成要素１２８の接合面１９６に塗布することができる。
【００４７】
第１積層体層１６２ａ、装飾層１７６及び第２積層体層１６２ｂは、共に上部１９８ａ又は上部シートを構成する。上部１９８ａは、樹脂層１８４と共に、可撓性であり、構造構成要素１２８などの構造の角、外形又は湾曲部分の周囲に容易に形成することができる、装飾用積層体１１０を形成することができる。
【００４８】
第１積層体層１６２ａ、装飾層１７６、第２積層体層１６２ｂ及び樹脂層１８４は、順次重ねて共に積層されて装飾用積層体１１０を形成し、構造構成要素１２８に付加されるように構成される。内部構造構成要素１２８ａなどの構造構成要素１２８は、接合面１９６を有する。
【００４９】
装飾用積層体１１０が構造構成要素１２８に付加される場合、第１積層体層１６２ａは最も外側となることができる。即ち、装飾用積層体１１０に接触する人々又は物質は、第１積層体層１６２ａの第１表面１６４ａに接触することができる。積層体に移行した微生物は、第１積層体層１６２ａの銀粒子１８１又は他の抗菌剤によって死滅され得るか、又は増殖が阻害され得る。
【００５０】
Ｂ．例示的な抗菌性装飾用積層体
図４Ａから４Ｂに示すように、このセクションでは、例示的な装飾用積層体２１０について記載する。装飾用積層体２１０は、上記のような抗菌性装飾用積層体１０の別の例である。図４Ａは、装飾用積層体２１０の分解側面図であり、図４Ｂは、装飾用積層体の組立側面図である。図示するように、装飾用積層体２１０は、第１積層体層２６２ａ、装飾層２７６及び第２積層体層２６２ｂから構成される上部２９８ａを含む。装飾用積層体２１０は、第３積層体層２６２ｃからなる基部２９８ｂ、即ち基層及び第２積層体層２６２ｂと第３積層体層２６２ｃの間に配置された樹脂層２８４も含む。基部２９８ｂの存在によって、平坦な又は実質的に平坦な表面への付加に有益である、より剛性の装飾用積層体２１０を作製することができる。
【００５１】
第１積層体層２６２ａ、装飾層２７６、第２積層体層２６２ｂ、樹脂層２８４及び第３積層体層２６２ｃは、順次重ねて共に積層されて装飾用積層体２１０を形成し、構造構成要素２２８に付加されるように構成される。構造構成要素２２８は、接合面２９６を有する。
【００５２】
図４Ａに示すように、第１積層体層２６２ａは、第１面２６４ａ、第２面２６４ｂ及び光を透過させるという点で透過性の外観２６８又は透明の外観を有する。第２積層体層２６２ｂは、第１面２７０ａ及び第２面２７０ｂを有する。
【００５３】
図４Ａに示すように、第３積層体層２６２ｃは、第１面２７５ａ及び第２面２７５ｂを含む。接着層２９０が含まれる場合、第３積層体層２６２ｃの第１面２７５ａは、樹脂層２８４の第２面２８８ｂに隣接し、第３積層体層２６２ｃの第２面２７５ｂは、接着層２９０の第１面２９２ａに隣接している。第３積層体層２６２ｃ並びに第２積層体層２６２ｂはそれぞれ、それを通じて光を透過させないという点で不透明の外観２７２又は非透明の外観を有し得る。
【００５４】
本例において、第１積層体層２６２ａは、ポリフッ化ビニル（ＰＶＦ）フィルムなどの透過性の熱可塑性フルオロポリマー材料２７４からなり、抗菌性コーティング２８１が熱可塑性フルオロポリマー材料２７４上に配置される。したがって、抗菌性コーティング２８１は、第１積層体層２６２ａの第１面２６４ａを含む。抗菌性コーティング２８１は、パラ−ｔｅｒｔ−アミルフェノール（ＰＴＡＰ）などのフェノール系化合物及び／又はその溶液を含むことができる。また、抗菌性コーティングは透過性であり、悪影響なしに積層に耐えるよう十分に耐熱性及び耐圧性である。
【００５５】
第２積層体層２６２ｂ及び第３積層体層２６２ｃはそれぞれ、熱可塑性フルオロポリマー材料２７４から構成することができる。上述のように、熱可塑性フルオロポリマー材料２７４としては、ポリフッ化ビニル（ＰＶＦ）フィルム、ポリフッ化ビニリデン（ＰＶＤＦ）フィルム、インテグラルカラーポリフッ化ビニル（ＰＶＦ）フィルム、ポリフッ化ビニル（ＰＶＦ）フィルム／アルミニウム箔／接着材料又は別の好適な熱可塑性フルオロポリマー材料を挙げることができる。
【００５６】
装飾用積層体２１０は、第１積層体層２６２ａと第２積層体層２６２ｂの間に選択的に配置された装飾層２７６をさらに含む。装飾層２７６は、第１面２７８ａ及び第２面２７８ｂを備え、装飾層２７６の第１面２７８ａは第１積層体層２６２ａの第２面２６４ｂに隣接し、装飾層２７６の第２面２７８ｂは、第２積層体層２６２ｂの第１面２７０ａに隣接している。
【００５７】
装飾層２７６は、第１積層体層２６２ａと第２積層体層２６２ｂの間に選択的に配置された１つ以上の不透明又は可視材料を含む。装飾層２７６は、インクジェット印刷インク、シルクスクリーン印刷インク、顔料系インク、染料系インク、塗料、ステイン、デジタル印刷インク又は別の好適な材料の１つ以上を含むことができる。
【００５８】
装飾層２７６は、第１積層体層２６２ａと第２積層体層２６２ｂの間に配置又は付加することができる。装飾層２７６は、第１積層体層２６２ａの第２面２６４ｂに印刷されて、印刷された装飾材料面２６６を形成することができる。装飾層２７６は、装飾用積層体１１０について上述したように、第１積層体層２６２ａと第２積層体層２６２ｂの間に配置するか、印刷工程によって第１積層体層２６２ａ上に印刷することができる。
【００５９】
装飾用積層体２１０は、第２積層体層２６２ｂ上に配置された樹脂層２８４をさらに含む。図４Ａにさらに示すように、樹脂層２８４は、第１面２８８ａ及び第２面２８８ｂを有する。樹脂層２８４の第１面２８８ａは、第２積層体層２６２ｂの第２面２７０ｂに隣接し、樹脂層２８４の第２面２８８ｂは、第３積層体層２６２ｃの第１面２７５ａに隣接している。
【００６０】
樹脂層２８４は、エンボス樹脂層、プリプレグ樹脂層又は別の好適な樹脂材料層を含むことができる。エンボス樹脂層２８４は、上記の装飾用積層体１１０について説明したように、１つ以上の熱硬化性樹脂材料２８６を含むことができる。
【００６１】
装飾用積層体２１０は、第３積層体層２６２ｃと構造構成要素２２８の接合面２９６の間に配置された、任意の接着層２９０をさらに含むことができる。図４Ａに示すように、接着層２９０は、第１面２９２ａ及び第２面２９２ｂを有する。接着層２９０の第１面２９２ａは、第３積層体層２６２ｃの第２面２７５ｂに隣接し、接着層２９０の第２面２９２ｂは、接合面２９６に隣接している。本例において、接着層２９０は、スプレー接着剤層２９０ｂを含む。しかし、他の好適なスプレー又は液体接着材料が使用されてもよい。又は、接着層２９０は、装飾用積層体２１０に付加又は装飾用積層体２１０と一体化できる感圧接着剤２９０ａを含むことができる。
【００６２】
Ｃ．光活性化材料を用いた例示的な抗菌性装飾用積層体
図５Ａから５Ｂに示すように、このセクションでは、例示的な装飾用積層体３１０について記載する。装飾用積層体３１０は、上記のような抗菌性装飾用積層体１０の別の例である。図５Ａは、装飾用積層体３１０の分解側面図であり、図５Ｂは、装飾用積層体の組立側面図である。図示するように、装飾用積層体３１０は、第１積層体層３６２ａ、装飾層３７６、第２積層体層３６２ｂ、第３積層体層３６２ｃ及び樹脂層３８４を含む。
【００６３】
第１積層体層３６２ａ、装飾層３７６、第２積層体層３６２ｂ、第３積層体層３６２ｃ及び樹脂層３８４は、順次重ねて共に積層されて、構造構成要素３２８に付加するように構成されている、装飾用積層体３１０を形成する。構造構成要素３２８は、接合面３９６を有する。
【００６４】
この例において、図５Ａから５Ｂに示すように、装飾用積層体３１０の第３積層体層３６２ｃ及び樹脂層３８４は、図４Ａから４Ｂの装飾用積層体２１０と比較して逆順である。図５Ａから５Ｂに示すように、装飾用積層体３１０は、第１積層体層３６２ａ、装飾層３７６及び第２積層体層３６２ｂからなる上部３９８ａ、即ち上部シートを含み、第３積層体層３６２ｃ及び樹脂層３８４からなる基部３９８ｂ、即ち基層を含む。
【００６５】
図５Ａから５Ｂにさらに示すように、装飾用積層体３１０は、第２積層体層３６２ｂと樹脂層３８４の間に配置された第３積層体層３６２ｃを有する。再び、図４Ａから４Ｂの装飾用積層体２１０と同様に、基部３９８ｂの存在によって、平坦な又は実質的に平坦な表面への付加に有益である、より剛性の装飾用積層体３１０を作製することができる。
【００６６】
図５Ａに示すように、第２積層体層３６２ｂは、第１面３７０ａ及び第２面３７０ｂを有する。第３積層体層３６２ｃは、第１面３７５ａ及び第２面３７５ｂを含む。第３積層体層３６２ｃの第１面３７５ａは、第２積層体層３６２ｂの第２面３７０ｂに隣接し、第３積層体層３６２ｃの第２面３７５ｂは、樹脂層３８４の第１面３８８ａに隣接している。
【００６７】
第２積層体層３６２ｂ並びに第３積層体層３６２ｃはそれぞれ、それを通じて光を透過させないという点で不透明の外観３７２又は非透明の外観を有することができる。上述の図４Ａから４Ｂの装飾用積層体２１０と同様に、第２積層体層３６２ｂ及び第３積層体層３６２ｃはそれぞれ、熱可塑性フルオロポリマー材料３７４からなることができる。
【００６８】
第２積層体層３６２ｂ又は第３積層体層３６２ｃは、熱可塑性フルオロポリマー材料に接着したアルミニウム箔などの箔を含むことができる。例えば、第２積層体層３６２ｂは、熱可塑性フルオロポリマーフィルムに接合された箔の層を含むことができ、第２積層体層３６２ｂの第２面３７０ｂを形成する。したがって、箔は、第３積層体層３６２ｃの第１面３７５ａに接触することができる。
【００６９】
図５Ａにさらに示すように、第１積層体層３６２ａは、第１面３６４ａ、第２面３６４ｂ及び光を透過させるという点で透過性の外観又は透明の外観を有する。
本例において、第１積層体層３６２ａは、ポリフッ化ビニル（ＰＶＦ）フィルムなどの透過性熱可塑性フルオロポリマー材料３７４からなり、第１面３６４ａ上に抗菌性コーティング３８１を有する。抗菌性コーティング３８１は、透過性又は非可視インク材料と混合された銀、亜鉛又は銅などの微粉末化金属を含むことができる。インク材料及び粉末化金属は、第１積層体層３６２ａの第１面３６４ａ上に印刷されて、印刷抗菌性面を形成することができる。インク材料及び粉末化金属は、第１面３６４ａ上に均一に印刷することができ、及び／又はグリッドなどのパターンで印刷することができる。印刷工程としては、インクジェット印刷法、シルクスクリーン印刷法、デジタル印刷法又は別の好適な印刷法を挙げることができる。
【００７０】
装飾用積層体３１０は、第１積層体層３６２ａと第２積層体層３６２ｂの間に選択的に配置された装飾層３７６をさらに含む。図５Ａから５Ｂに示すように、装飾層３７６は、第１面３７８ａ及び第２面３７８ｂを含み、装飾層３７６の第１面３７８ａは、第１積層体層３６２ａの第２面３６４ｂに隣接し、装飾層３７６の第２面３７８ｂは、第２積層体層３６２ｂの第１面３７０ａに隣接している。
【００７１】
装飾層３７６は、第１積層体層３６２ａと第２積層体層３６２ｂの間に選択的に配置された１つ以上の可視材料３８０を含む。１つ以上の可視材料３８０は、可視インクジェット印刷インク、可視シルクスクリーン印刷インク、可視顔料系インク、可視染料系インク、可視塗料、可視ステイン、可視デジタル印刷インク又は別の好適な可視材料の１つ以上を含むことができる。
【００７２】
装飾層は、第１積層体層３６２ａと第２積層体層３６２ｂの間に選択的に配置された１つ以上の非可視光活性化材料３８２をさらに含む。１つ以上の非可視光活性化材料３８２は、光源４１２への暴露時に、非可視状態から可視状態に変化することができる。光源４１２は、紫外線（ＵＶ）光源、赤外線（ＩＲ）光源、発光ダイオード（ＬＥＤ）光源又は別の好適な光源であることができる。
【００７３】
１つ以上の非可視光活性化材料３８２は、光源４１２への暴露時に非可視状態から可視状態に変化するようにそれぞれ構成されている、非可視インクジェット印刷インク、非可視シルクスクリーン印刷インク、非可視顔料系インク、非可視塗料、非可視ステイン、非可視デジタル印刷インク又は別の好適な非可視光活性化材料の１つ以上を含むことができる。例えば、非可視光活性化材料３８２は、紫外線感受性非可視又は非可視（ｉｎｖｉｓｉｂｌｅ）インクなどの光活性化又は光感受性材料を含むことができる。紫外線感受性非可視又は非可視（ｉｎｖｉｓｉｂｌｅ）インクは、肉眼では非可視又は非可視（ｉｎｖｉｓｉｂｌｅ）であるが、紫外光下では高い可視性となる分類のインクである。
【００７４】
装飾層３７６は、第１積層体層３６２ａと第２積層体層３６２ｂの間に配置又は付加され得る。装飾層３７６は、第１積層体層１６２ａの第２面１６４ｂに印刷されて、印刷装飾材料面３６６を形成することができる。装飾層３７６は、第１積層体層３６２ａと第２積層体層３６２ｂの間に配置するか、印刷方法によって第１積層体層３６２ａ上に印刷することができる。印刷工程としては、インクジェット印刷法、シルクスクリーン印刷法、デジタル印刷法又は別の好適な印刷法を挙げることができる。
【００７５】
装飾用積層体３１０は、第３積層体層３６２ｃ上に配置された樹脂層３８４をさらに含む。図５Ａにさらに示すように、樹脂層３８４は、第１面３８８ａ及び第２面３８８ｂを有する。樹脂層３８４の第１面３８８ａは、第３積層体層３６２ｃの第２面３７５ｂに隣接し、樹脂層３８４の第２面３８８ｂは、接着層３９０の第１面３９２ａに隣接している。樹脂層３８４は、プリプレグ樹脂層を含む。
【００７６】
装飾用積層体３１０は、樹脂層３８４と構造構成要素３２８の接合面３９６の間に配置された、任意の接着層３９０をさらに含むことができる。図５Ａに示すように、接着層３９０は、第１面３９２ａ及び第２面３９２ｂを含む。接着層３９０の第１面３９２ａは、樹脂層３８４の第２面３８８ｂに隣接し、接着層３９０の第２面３９２ｂは、接合面３９６に隣接している。本例において、接着層３９０は、スプレー接着剤層を含む。しかし、他の好適なスプレー又は液体接着材料を使用することができる。又は、接着層３９０は、装飾用積層体３１０に付加又は装飾用積層体３１０と一体化することができる感圧接着剤３９０ａを含むことができる。
【００７７】
Ｄ．抗菌性構造構成要素及び複合パネル
図６は、硬化構造複合パネルなどの組立構造複合パネル３２８ｂの正面斜視図であり、それぞれ、位置システムパターン４００を有する、上記のような抗菌性装飾用積層体３１０を有する。各装飾用積層体３１０は、上部３９８ａ及び基部３９８ｂを有する。
【００７８】
各装飾用積層体３１０は、例えば矢印画像の形態の可視材料３８０を含み、位置システムパターン４００の形態の非可視光活性化材料３８２を備える。非可視光活性化材料３８２は、各装飾用積層体３１０の装飾領域４０４上に位置合せパターン４００ａなどの位置システムパターン４００を形成する。非可視光活性化材料３８２は、構造構成要素３２８への付加時に、装飾用積層体３１０の位置合せ及び位置決めを容易にするために、位置合せパターン４００ａで装飾用積層体３１０上に配置又は印刷することができる。さらに、各装飾用積層体３１０は、前述のように、抗菌性コーティング３８１中に抗菌剤を含む。
【００７９】
非可視光活性化材料３８２からなる、製造位置ターゲット４０２ａ、４０２ｂなどの非装飾的情報又はマーキングは、各装飾用積層体３１０の位置システムパターンに含めることができる。紫外（ＵＶ）光源、赤外（ＩＲ）光源又は別の適切な光源などの光源による照射時に、製造位置ターゲット４０２ａ、４０２ｂは、製造業者、製造関連ユーザ又は他のユーザに、構造複合パネル３２８ｂ上に装飾用積層体３１０を位置決め及び位置合せするための可視ターゲット基準点を提供する。加えて、製造位置ターゲット４０２ａ、４０２ｂは完全なままであり、構造複合パネル３２８ｂに付加された、最終製造版の装飾用積層体３１０から切取られない。
【００８０】
非可視光活性化材料３８２からなる、組立位置ターゲット４０２ｃなどの非装飾的情報又はマーキングは、各装飾用積層体３１０の位置システムパターンに含めることができる。位置合せシーム４０６に沿った組立位置ターゲット４０２ｃは、２つの各構造複合パネル３２８ｂの２つの装飾用積層体３１０の間に形成され、装飾用積層体３１０と構造複合パネル３２８ｂの相互の位置合せ及び位置決めを容易にする。
【００８１】
紫外（ＵＶ）光源、赤外（ＩＲ）光源又は別の好適な光源などの光源による照射時に、組立位置ターゲット４０２ｃは、組立者、組立関連ユーザ又は他のユーザに、各構造複合パネル３２８ｂ上の装飾用積層体３１０を互いに位置合せするための可視ターゲット基準点を提供する。加えて、組立位置ターゲット４０２ｃは完全なままであり、構造複合パネル３２８ｂに付加された、最終製造版又は組立版の装飾用積層体３１０から切取られない。
【００８２】
製造位置ターゲット４０２ａ、４０２ｂ及び組立位置ターゲット４０２ｃに加えて、非可視光活性化材料３８２は、部品番号、バーコード、修理指示又は他の非装飾的情報の形態で装飾用積層体３１０上に配置又は印刷されて、検査、修理、取外し、保守又はその他の手順のために構造構成要素を特定及び確認することができる。
【００８３】
ここで図７Ａから７Ｂを参照すると、図７Ａは構造構成要素３２８の正面斜視図を示し、装飾用積層体３１０は、可視である画像又はデザインなどの第１テーマ４０８、例えば数字「７７７」を示し、不可視である画像又はデザインなどの第２テーマ４１０、例えば太陽及び雲を示している。図７Ｂは、図７Ａの構造構成要素３２８の正面斜視図であり、装飾用積層体３１０は、可視である第１テーマ４０８、例えば数字「７７７」を示し、光源４１２への暴露及び光源４１２による照射時に可視である第２テーマ４１０、例えば太陽及び雲を示している。
【００８４】
装飾用積層体３１０は、上部３９８ａ、基部３９８ｂ及び装飾領域４０４を有する。可視材料３８０は、第１テーマ４０８、例えば、番号「７７７」を形成し、非可視光活性化材料３８２は、第２テーマ４１０、例えば太陽及び雲を形成する。第２テーマ４１０は、第１テーマ４０８とは独立して別個であり得る。又は、第２テーマ４１０は、第１テーマ４０８を強化することができ、即ち、第２テーマ４１０は、何らかの方法で第１テーマ４０８の一部であるか、第１テーマ４０８に接続されるか、又は第１テーマ４０８を強調することができる。積層体３１０の上部は、上記のような抗菌性コーティング３８１及び／又は例えば上部に分散させた若しくは層として付加された任意の抗菌剤を含むことができる。
【００８５】
図７Ａにおいて、可視材料３８０からなる第１テーマ４０８は可視であり、非可視光活性化材料３８２からなる第２テーマ４１０は非可視であり、非可視状態又は条件にある。図７Ｂにおいて、可視材料３８０からなる第１テーマ４０８が可視であり、非可視光活性化材料３８２からなる第２テーマ４１０が、紫外（ＵＶ）光源４１２ａの形態などの光源４１２からの照明４１４及び光源４１２への暴露によって現在可視である。図７Ｂにおいて、第２テーマ４１０は、光源４１２への暴露により、非可視状態から可視状態（図９Ｂ）に変化している。
【００８６】
図７Ｂにさらに示すように、航空機照明システムなどの照明システム４１８は、有線又は無線接続などの接続要素４１６を介して光源４１２に連結又は接続されている。紫外線（ＵＶ）光源４１２ａなどの光源４１２は、非可視光活性化材料３８２に照射して非可視状態から可視状態に変更させるように構成されている。光源４１２は、赤外線（ＩＲ）光源、発光ダイオード（ＬＥＤ）光源又は別の好適な光源を含むこともできる。
【００８７】
Ｅ．抗菌性装飾用積層体を作製する例示的方法
このセクションでは、抗菌性装飾用積層体を作成するための例示的な方法のステップについて記載する。図８を参照のこと。上記の装飾用積層体、積層体層及び／又は装飾層の態様は、下記の方法ステップで適用できる。必要に応じて、各ステップの実施に使用され得る構成要素及びシステムが参照され得る。これらの参照は例示のためであり、方法の特定のステップを実施する考えられる方法を制限するものではない。
【００８８】
図８は、例示的な方法で実施されるステップを示すフローチャートである。方法５００の各種ステップを以下に記載し、図８に示すが、ステップは必ずしもすべて実施する必要はなく、場合により同時に、又は示された順序とは異なる順序で実施され得る。本開示に基づいて、本請求項から逸脱することなく、追加のステップが実施され得ることを理解されたい。
【００８９】
ステップ５０２において、本方法は、第１積層体層と第２積層体層の間に装飾層を配置することを含む。第１及び第２積層体層はそれぞれ、熱可塑性フルオロポリマー材料を含むことができる。第１積層体層は、透明又は透過性であることができ、抗菌剤をさらに含むことができる。
【００９０】
装飾用積層体の製造前に抗菌剤を第１積層体層に包含させることにより、装飾用積層体の製造を簡素化でき、十分に試験された手順及び既存の機器を使用できるようになる。又は、装飾用積層体の製造後に、抗菌剤を第１積層体層に包含させることができる。方法ステップのこの順序は、積層中に望ましくない化学的又は物理的変化を受け得る温度感受性又は圧力感受性抗菌剤に適切であり得る。
【００９１】
抗菌剤としては、これに限定されるわけではないが、静菌剤、静真菌剤、抗生剤及び殺菌剤を含む、任意の有効な化学剤、生物剤及び／又は薬剤の任意の組合せを挙げることができる。例えば、抗菌剤は、銀、銅、ジルコニウム、ナトリウム、カリウム及び／又はその任意の組合せなどの金属であることができる。別の例では、抗菌剤は、パラ−ｔｅｒｔ−アミルフェノール（ＰＴＡＰ）などのフェノールであることができる。
【００９２】
第１積層体層の抗菌剤及び熱可塑性フルオロポリマー材料は、任意の有効な方法で包含、接着、凝集又はさもなければ組合され得る。抗菌剤は、熱可塑性フルオロポリマー材料全体に均一に分布させることができ、第１積層体層の片側に近接して局在化することができ、及び／又は何らかのパターンに従って配置することができる。抗菌剤及びポリマー材料は、第１積層体層の所望の透過度を達成するような方法で組合せることができる。
【００９３】
装飾層は、１つ以上の可視材料を含むことができる。装飾層は、光源への暴露時に、非可視状態から可視状態に変化する１つ以上の非可視光活性化材料をさらに含むことができる。光源は、紫外線（ＵＶ）光源、赤外線（ＩＲ）光源又は別の好適な光源であることができる。
【００９４】
ステップ５０２は、印刷工程によって装飾層を配置することを含むことができる。印刷工程としては、インクジェット印刷法、シルクスクリーン印刷法、デジタル印刷法又は別の好適な印刷方法を挙げることができる。ステップ５０２は、硬化構造複合パネルへの付加時に、完成した積層体の位置合せを容易にするために、１つ以上の非可視光活性化材料を位置合せパターンで配置することをさらに含むことができる。
【００９５】
次いで、方法５００は、樹脂層を第２積層体層に付加するステップ５０４を含む。方法５００は、第１積層体層、装飾層、第２積層体層及び樹脂層を順次重ね、特定の熱及び特定の圧力にて共に積層することによって装飾用積層体を形成するステップ５０６をさらに含む。
【００９６】
ステップ５０６は、装飾用積層体を形成するために、第１積層体層、装飾層、第２積層体層及び樹脂層を、有効な高温などの特定の熱にて、有効な圧力などの特定の圧力にて、有効な期間にわたって加熱及び硬化する、プレス成形工程を使用することを含むことができる。第１積層体層、装飾層、第２積層体層及び樹脂層は、例えば５フィート×８インチの大型シートに、平坦金属当て板などの平坦構成に重ねて積層することができる。大型シートは、プレス成形工程で使用する、フラットプラテンなどを備えた多段プレスで加熱及び硬化できる。
【００９７】
装飾用積層体を加熱及び硬化するための有効な高温は、約２００Ｆ（華氏２００度）〜約４００Ｆ（華氏４００度）以上の範囲であることができる。装飾用積層体を加熱及び硬化するための有効な期間は、約１０分〜約１２０分以上の範囲であることができる。装飾用積層体を加熱及び硬化するための有効な圧力は、例えば、約１５０ｐｓｉ（５０ポンド／平方インチ）〜約２００ｐｓｉ（２００ポンド／平方インチ）の範囲の圧力においてであることができる。加熱及び硬化のために選択された温度、圧力及び時間は、装飾用積層体の形成に使用される樹脂層の種類、例えば熱硬化性樹脂若しくは熱可塑性樹脂、又は使用された熱硬化性樹脂の種類若しくは熱可塑性樹脂の種類に基づいて選択することができる。
【００９８】
積上げた第１積層体層、装飾層、第２積層体層及び樹脂層の大型シートを、約１５０ｐｓｉ（５０ポンド／平方インチ）〜約２００ｐｓｉ（２００ポンド／平方インチ）の範囲の圧力にて、約２００Ｆ（華氏２００度）〜約４００Ｆ（華氏４００度）の範囲の温度にて、約１０分〜約１２０分の範囲の時間にて、多段プレス内で加熱及び硬化することができる。例えば、熱サイクルは、上昇時間及び下降時間を含めて約６０分間の持続時間を有することができ、最大２０分間も最高温度することが維持できる。装飾用積層体は、十分な時間にわたって、多段プレス内で周囲温度まで冷却して、次いで航空機の内部構造構成要素などの構造構成要素に付加するために取外すことができる。装飾用積層体は、他の既知のプレス成形工程で形成することもできる。
【００９９】
本方法のステップ５０８は、構造複合パネルを硬化させることを含む。ステップ５１０は、接着層を用いて硬化構造複合パネルの接合面に装飾用積層体を付加することを含む。接着層は、剥離ライナー、スプレー接着剤又は別の好適な接着材料を備えた感圧接着剤を含むことができる。硬化した構造複合パネルは、構造構成要素の一部を形成し得る。構造構成要素は、航空機、回転翼機、宇宙船、船舶、自動車、トラック及び／又は他のビークルの内部構造構成要素であり得る。ステップ５１０はさらに、構造構成要素の平坦表面、湾曲表面、起伏表面又は別の好適な表面の１つ以上に装飾用積層体を付加することを含むことができる。
【０１００】
方法５００は、樹脂層の第１面又は第２面のどちらかに隣接する追加の積層体層を追加する任意のステップ５１２をさらに含む。１つ以上の追加の積層体層を追加するために、必要に応じてステップ５１２を反復することができる。さらに、任意の難燃性材料又は他の積層体材料を装飾用積層体に追加することができる。さらに、装飾用積層体は、熱成形、真空成形又は別の好適な既知の付加法などの既知の方法を使用して、構造構成要素１２８に付加することができる。
【０１０１】
Ｆ．例示的な航空機及び関連方法
本明細書で開示される例は、例示的な航空機の製造及び保守点検方法６００（図９を参照のこと）並びに例示的な航空機６２０（図１０を参照のこと）の文脈で記載することができる。方法６００は、複数の工程、段階又はフェーズを含む。製造前の間に、方法６００は航空機６２０の仕様及び設計フェーズ６０４並びに材料調達フェーズ６０６を含むことができる。製造中に、航空機６２０の構成要素及び部分組立品の製造フェーズ６０８並びにシステム統合フェーズ６１０を行うことができる。その後、航空機６２０は、認証及び搬送フェーズ６１２を経て、就航中フェーズ６１４に入ることができる。（例えばオペレータによる）就航中に、航空機６２０は、（航空機６２０の１つ以上のシステムの修正、再構成、改修なども含み得る）定期整備及び保守点検６１６のスケジュールを設定することができる。本明細書で説明する例は、一般に、航空機６２０の構成要素及び部分組立品の製造フェーズ６０８中の製造に関するが、これらは方法６００の他の段階で実施することができる。
【０１０２】
方法６００の各工程は、システムインテグレータ、サードパーティ及び／又はオペレータ（例えば顧客）によって実行又実施することができる。この記載の目的のために、システムインテグレータには、制限なく、航空機メーカー及び大手システムの下請業者をいくつでも含めることができる。サードパーティには、制限なく、ベンダ、下請業者及びサプライヤをいくつでも含めることができる。オペレータは、航空会社、リース会社、軍隊、サービス組織などであることができる。
【０１０３】
図１０に示すように、例示的な方法６００によって製造された航空機６２０は、複数のシステム６２４及び内部６２６を備えたフレーム６２２を含むことができる。航空宇宙の例が示されているが、本明細書で開示する原理は、自動車産業、鉄道輸送産業、航海工学産業などの他の産業に適用することができる。したがって、航空機６２０に加えて、本明細書で開示する原理は、他のビークル、例えば陸上ビークル、海洋ビークルなどに適用することができる。これらの場合のいずれにおいても、内部６２６は、本開示の教示に従って抗菌剤を包含する装飾用積層体を含むことができる。
【０１０４】
本明細書で示し記載する装置及び方法は、製造及び保守点検方法６００の任意の１つ以上の段階で使用することができる。例えば、構成要素及び部分組立品の製造段階６０８に対応する構成要素又は部分組立品は、航空機６２０が就航中フェーズ６１４中に動作している間に製造される構成要素又は部分組立品と同様の方法で作製又は製造することができる。また、装置、方法又はその組合せの１つ以上の例は、例えば、航空機６２０の組立を実質的に促進するか又はコストを削減することにより、製造段階６０８及び６１０中に適用することができる。同様に、航空機６２０の製造中及び／又は整備及び保守点検段階６１６中に、例えば及び制限なく、装置又は方法の実現又はその組合せの１つ以上の例を適用することができる。
【０１０５】
Ｇ．例示的組合及び追加の例
このセクションでは、制限なく一連のパラグラフとして示された、抗菌性装飾用積層体並びに関連するシステム及び方法の追加の側面と形態について記載し、パラグラフの一部又は全部は明確化及び効率化のためにアルファベットで示され得る。これらのパラグラフはそれぞれ、任意の好適な方法で、１つ以上の他のパラグラフ及び／又は参照により組み入れられた資料を含む本願の他の箇所からの開示と組合せることができる。以下のパラグラフのいくつかは、他の段落を明示的に参照し、さらに制限し、いくつかの好適な組合せの例を制限なく与える。
【０１０６】
Ａ０．装飾用積層体であって
抗菌剤を含有する第１積層体層；
第２積層体層；
前記第１積層体層と前記第２積層体層の間に選択的に配置された装飾層であって、
１つ以上の可視材料；及び
紫外線（ＵＶ）光源又は赤外線（ＩＲ）光源を含む光源への暴露時に、非可視状態から可視状態に変化する、１つ以上の非可視光活性化材料；
を含む、装飾層、並びに
前記第２積層体層上に配置された樹脂層
を含み、
前記第１積層体層及び前記第２積層体層は、それぞれ熱可塑性フルオロポリマー材料を含み、並びに
構造構成要素に付加するように構成された前記装飾用積層体を形成するために、前記第１積層体層、前記装飾層、前記第２積層体層及び前記樹脂層が共に積層される、
装飾用積層体。
【０１０７】
Ａ１．前記装飾用積層体と前記構造構成要素の接合面の間に配置された接着層をさらに含む、Ａ０に記載の装飾用積層体。
【０１０８】
Ａ２．前記樹脂層の第１面に隣接する１つ以上の追加の積層体層をさらに含む、Ａ０からＡ１のいずれか一項に記載の装飾用積層体。
【０１０９】
Ａ３．前記樹脂層の第２面に隣接する１つ以上の追加の積層体層をさらに含む、Ａ０からＡ２のいずれか一項に記載の装飾用積層体。
【０１１０】
Ａ４．前記１つ以上の非可視光活性化材料が、前記構造構成要素への付加時に前記装飾用積層体の位置合せを容易にする位置合せパターンで配置される、Ａ０からＡ３のいずれか一項に記載の装飾用積層体。
【０１１１】
Ａ５．前記１つ以上の可視材料が、可視インクジェット印刷インク、可視シルクスクリーン印刷インク、可視顔料系インク、可視染料系、可視塗料、可視ステイン及び可視デジタル印刷インクの１つ以上を含む、Ａ０からＡ４のいずれか一項に記載の装飾用積層体。
【０１１２】
Ａ６．前記１つ以上の非可視光活性化材料が、光源への暴露時にそれぞれ非可視状態から可視状態に変化するように構成されている、非可視インクジェット印刷インク、非可視シルクスクリーン印刷インク、非可視顔料系インク、非可視染料系インク、非可視塗料、非可視ステイン及び非可視デジタル印刷インクの１つ以上を含む、Ａ０からＡ５のいずれか一項に記載の装飾用積層体。
【０１１３】
Ａ７．前記抗菌剤が、前記第１積層体層内に分散された微粉化銀である、Ａ０からＡ６のいずれか一項に記載の装飾用積層体。
【０１１４】
Ａ８．前記抗菌剤が、銀、銅、ジルコニウム、ナトリウム、カリウム及びパラ−ｔｅｒｔ−アミルフェノール（ＰＴＡＰ）からなる群から選択される、Ａ０からＡ７のいずれか一項に記載の装飾用積層体。
【０１１５】
Ａ９．前記樹脂層が、エンボス樹脂層又はプリプレグ樹脂層を含み、前記エンボス樹脂層がエポキシ、ポリエステル、フェノール、ポリウレタン及びその組合せからなる群から選択される１つ以上の熱硬化性樹脂材料を含む、Ａ０からＡ８のいずれか一項に記載の装飾用積層体。
【０１１６】
Ａ１０．前記構造構成要素が、内部構造構成要素、構造複合パネル、航空機内部構造構成要素、回転翼機内部構造構成要素、宇宙船内部構造構成要素、船舶内部構造構成要素、自動車内部構造構成要素又はトラック内部構造構成要素を含む、Ａ０からＡ９のいずれか一項に記載の装飾用積層体。
【０１１７】
Ｂ０．装飾用積層体システムであって、
接合面を有する構造構成要素；
前記構造構成要素の前記接合面に付加された装飾用積層体であって：
透過性の外観を有し、抗菌剤を含有する第１積層体層；
不透明の外観を有する第２積層体層であって、前記第１積層体層及び前記第２積層体層がそれぞれ、ポリフッ化ビニル（ＰＶＦ）フィルム、ポリフッ化ビニリデン（ＰＶＤＦ）フィルム、インテグラルカラーポリフッ化ビニル（ＰＶＦ）及びポリフッ化ビニル（ＰＶＦ）フィルム／アルミニウム箔／接着剤からなる群から選択される熱可塑性フルオロポリマー材料を含む、第２積層体層、
前記第１積層体層と前記第２積層体層の間に配置された装飾層であって：
１つ以上の可視材料；及び
１つ以上の非可視光活性化材料；
を含む、装飾層；
前記第２積層体層上に配置された樹脂層；
を含む、装飾用積層体；
前記装飾用積層体と前記構造構成要素の接合面の間に配置された接着層；
並びに
１つ以上の非可視光活性化材料を証明して非可視状態から可視状態に変更させるように構成された光源を有する照明システムであって、前記光源が紫外線（ＵＶ）光源又は赤外線（ＩＲ）を含む、照明システム；
を含む、装飾用積層体システム。
【０１１８】
Ｂ１．前記装飾用積層体が、前記樹脂層の第１面又は前記樹脂層の第２面のいずれかに隣接する１つ以上の追加の積層体層をさらに含む、Ｂ０に記載の装飾用積層体システム。
【０１１９】
Ｂ２．前記１つ以上の可視材料が、可視インクジェット印刷インク、可視シルクスクリーン印刷インク、可視顔料系インク、可視染料系、可視塗料、可視ステイン及び可視デジタル印刷インクの１つ以上を含む、Ｂ０からＢ１のいずれか一項に記載の装飾用積層体システム。
【０１２０】
Ｂ３．前記１つ以上の非可視光活性化材料が、光源への暴露時にそれぞれ非可視状態から可視状態に変化するように構成されている、非可視インクジェット印刷インク、非可視シルクスクリーン印刷インク、非可視顔料系インク、非可視染料系インク、非可視塗料、非可視ステイン及び非可視デジタル印刷インクの１つ以上を含む、Ｂ０からＢ２のいずれか一項に記載の装飾用積層体システム。
【０１２１】
Ｂ４．前記抗菌剤が、銀、銅、ジルコニウム、ナトリウム及びカリウムからなる群から選択される微粉末化金属又はフェノールのどちらかである、Ｂ０からＢ３のいずれか一項に記載の装飾用積層体システム。
【０１２２】
Ｃ０．装飾用積層体が付加された複合パネルを製造する方法であって、
第１積層体層と第２積層体層の間に装飾層を配置するステップであって、前記第１積層体層及び前記第２積層体層がそれぞれ熱可塑性フルオロポリマー材料を含み、前記第１積層体層が抗菌剤をさらに含み、前記装飾層が：
１つ以上の可視材料；及び
紫外線（ＵＶ）光源又は赤外線（ＩＲ）光源を含む光源への暴露時に、非可視状態から可視状態に変化する１つ以上の非可視光活性化材料；
を含む、ステップ；
前記第２積層体層に樹脂層を付加するステップ；
前記第１積層体層、前記装飾層、前記第２積層体層及び前記樹脂層を順次重ね、特定の熱及び特定の圧力にて共に積層することによって装飾用積層体を形成するステップ；
硬化構造用複合パネルを形成するために構造複合パネルを硬化させるステップ；並びに
装飾用積層体が付加された複合パネルを形成するために、接着層を用いて装飾用積層体を硬化構造複合パネルの接合面に付加するステップ；
を含む方法。
【０１２３】
Ｃ１．前記抗菌剤が粉末化金属又はフェノールのどちらかである、Ｃ０に記載の方法。
【０１２４】
Ｃ２．前記第１積層体層と第２積層体層の間に装飾層を配置するステップが、インクジェット印刷法、シルクスクリーン印刷法又はデジタル印刷法によって装飾層を配置することをさらに含む、Ｃ０からＣ１のいずれか一項に記載の方法。
【０１２５】
Ｃ３．第１積層体層と前記第２積層体層の間に前記装飾層を配置するステップが、前記硬化構造複合パネルへの付加時に前記装飾用積層体の位置合せを容易にするために、前記非可視光活性化材料の１つ以上を位置合せパターンで配置することをさらに含む、Ｃ０からＣ２のいずれか一項に記載の方法。
【０１２６】
Ｄ０．装飾用積層体であって：
抗菌剤を含有する第１積層体層；
第２積層体層；及び
前記第１積層体層と前記第２積層体層の間に選択的に配置された装飾層；を含み、前記第１積層体層及び前記第２積層体層がそれぞれ熱可塑性フルオロポリマー材料を含み、並びに
構造構成要素へ付加するように構成された前記装飾用積層体を形成するために、前記第１積層体層、前記装飾層及び前記第２積層体層が共に積層されている、装飾用積層体。
【０１２７】
Ｄ１．前記装飾用積層体と前記構造構成要素の接合面の間に配置された接着層をさらに含む、Ｄ０に記載の装飾用積層体。
【０１２８】
Ｄ２．前記装飾用積層体層の第１面に隣接する１つ以上の追加の積層体層をさらに含む、Ｄ０からＤ１のいずれか一項に記載の装飾用積層体。
【０１２９】
Ｄ３．前記装飾用積層体層の第２面に隣接する１つ以上の追加の積層体層をさらに含む、Ｄ０からＤ２のいずれか一項に記載の装飾用積層体。
【０１３０】
Ｄ４．前記装飾用積層体層が、前記構造構成要素への付加時に前記装飾用積層体の位置合せを容易にする位置合せパターンで配置された１つ以上の材料を含む、Ｄ０からＤ３のいずれか一項に記載の装飾用積層体。
【０１３１】
Ｄ５．前記装飾用積層体がインクジェット印刷インク、シルクスクリーン印刷インク、顔料系インク、染料系インク、塗料、ステイン及びデジタル印刷インクの１つ以上を含む、Ｄ０からＤ４のいずれか一項に記載の装飾用積層体。
【０１３２】
Ｄ６．前記抗菌剤が、前記第１積層体層内に分散された粉末化銀である、Ｄ０からＤ５のいずれか一項に記載の装飾用積層体。
【０１３３】
Ｄ７．前記抗菌剤が、静菌剤、静真菌剤、抗生剤、殺真菌剤又はその組合せの少なくとも１つを含む、Ｄ０からＤ６のいずれか一項に記載の装飾用積層体。
【０１３４】
Ｄ８．前記装飾層が前記第２積層体上に配置された樹脂層を含み、前記樹脂層が１つ以上の熱硬化性樹脂材料を含む、Ｄ０からＤ７のいずれか一項に記載の装飾用積層体。
【０１３５】
Ｄ９．前記構造構成要素が、建築内部構造構成要素、建築構造複合パネル、航空機内部構造構成要素、回転翼機内部構造構成要素、宇宙船内部構造構成要素、船舶内部構造構成要素、自動車内部構造構成要素又はトラック内部構造構成要素を含む、Ｄ０からＤ８のいずれか一項に記載の装飾用積層体。
【０１３６】
Ｅ０．装飾用積層体システムであって：
接合面を有する構造構成要素；
前記構造構成要素の接合面に付加された装飾用積層体であって：
透過性の外観を有し、抗菌剤を含有する第１積層体層；
不透明の外観を有する第２積層体層であって、前記第１積層体層及び前記第２積層体層が、それぞれ熱可塑性フルオロポリマー材料を含む、第２積層体層；
前記第１積層体層と前記第２積層体層の間に配置された装飾層；
前記第２積層体層上に配置された樹脂層；
を含む、装飾用積層体；並びに
前記装飾用積層体と前記構造構成要素の接合面の間に配置された接着層；
を含む、装飾用積層体システム。
【０１３７】
Ｅ１．前記装飾用積層体が、前記樹脂層の第１面又は前記樹脂層の第２面のいずれかに隣接する１つ以上の追加の積層体層をさらに含む、Ｅ０に記載の装飾用積層体システム。
【０１３８】
Ｅ２．前記装飾層がインクジェット印刷インク、シルクスクリーン印刷インク、顔料系インク、染料系インク、塗料、ステイン及びデジタル印刷インクの１つ以上を含む、Ｅ０からＥ１のいずれか一項に記載の装飾用積層体システム。
【０１３９】
Ｅ３．前記抗菌剤が粉末化金属又はフェノールのどちらかである、Ｅ０からＥ２のいずれか一項に記載の装飾用積層体システム。
【０１４０】
Ｅ４．前記抗菌剤が、静菌剤、静真菌剤、抗生剤、殺真菌剤又はその組合せの少なくとも１つを含む、Ｅ０からＥ３のいずれか一項に記載の装飾用積層体システム。
【０１４１】
Ｆ０．ビークルであって：
構造構成要素；及び
前記構造構成要素に付加される装飾用積層体であって：
抗菌剤を含有する第１積層体層；
第２積層体層；及び
前記第１積層体層と前記第２積層体層の間に選択的に配置された装飾層；を含む装飾用積層体を含み、
前記第１積層体層及び前記第２積層体層がそれぞれ熱可塑性フルオロポリマー材料を含み、並びに
前記装飾用積層体を形成するために、前記第１積層体層、前記装飾層及び前記第２積層体層が共に積層されている、ビークル。
【０１４２】
Ｆ１．前記抗菌剤が粉末化金属又はフェノールのどちらかである、Ｆ０に記載のビークル。
【０１４３】
Ｆ２．  前記抗菌剤が、静菌剤、静真菌剤、抗生剤、殺真菌剤又はその組合せを含む、Ｆ０からＦ１のいずれか一項に記載のビークル。
【０１４４】
Ｆ３．  光源をさらに備え、前記装飾層が、１つ以上の可視材料、及び前記光源から放出される光への暴露時に非可視状態から可視状態に変化する１つ以上の非可視光活性化材料を含む、Ｆ０からＦ２のいずれか一項に記載のビークル。
【０１４５】
Ｆ４．  前記装飾用積層体層が、前記構造構成要素への付加時に前記装飾用積層体の位置合せを容易にする位置合せパターンで配置された１つ以上の材料を含む、Ｆ０からＦ３のいずれか一項に記載のビークル。
【０１４６】
Ｇ０．画像を表示する方法であって：
透過性の外観を有し、抗菌剤を含有する第１積層体層；、
第２積層体層；及び
画像を含み、前記第１積層体層と前記第２積層体層の間に選択的に配置された装飾層；
を共に重ねて、特定の熱及び特定の圧力にて積層することによって、装飾用積層体を形成するステップ；
硬化構造用複合パネルを形成するために、構造用複合パネルを硬化させるステップ；並びに
接着層を用いて、前記装飾用積層体を前記硬化構造複合パネルの接合面に付加するステップ；
を含む方法。
【０１４７】
利点、形態及び利点
本明細書に記載される装飾用積層体の異なる実施形態及び例は、ビークルの内面上の微生物の蔓延及び／又は増殖を抑制するための既知の解決策に勝るいくつかの利点を提供する。例えば、本明細書に記載された例示的な実施形態及び例は、ビークルの乗客及び他の微生物キャリヤが頻繁に接触する表面上に永続的で耐久性のある抗菌性材料を提供する。
【０１４８】
さらに、他の利点の中でも、本明細書で記載した例示的な実施形態及び例により、抗菌性機能を既存の構成要素に組み入れることができ、ビークルの組立て中の個別の設置又は付加工程の必要がなくなる。
【０１４９】
さらに、他の利点の中でも、本明細書に記載する例示的な実施形態及び例は、高度にカスタマイズ可能な抗菌材料を提供し、完全な抗菌性有効範囲を維持しながら複雑な装飾グラフィック及び／又はパターンを使用できるようにする。
【０１５０】
特に可燃性が低く、蒸気透過性が低く、耐候性及び耐汚染性が高い材料中で、これらの機能を実行できる既知のシステム又はデバイスはない。しかし、本明細書に記載するすべての実施形態及び例が、同じ利点又は同じ程度の利点を提供するわけではない。
【０１５１】
結論
上述の開示は、独立した有用性を備えた複数の別個の例を包含し得る。これらはそれぞれ好ましい形態で開示されているが、本明細書に開示及び図示するその具体例は、多くの変形が考えられるため、限定的な意味で考慮されるべきではない。本開示内でセクションの見出しが使用される範囲で、そのような見出しは組織的な目的のみに使用されます。本開示の主題は、本明細書で開示される各種の要素、形態、機能及び／又は特性のすべての新規かつ非自明性の組合せ及び下位組合せを含む。以下の特許請求の範囲は、新規かつ非自明性と見なされるある組合せ及び下位組合せを特に指摘している。形態、機能、要素及び／又は特性の他の組合せ及び下位組合せは、本願又は関連出願から優先権を主張する出願において主張され得る。そのような特許請求の範囲も、元の特許請求の範囲に対する範囲より広いか、狭いか、等しいか、又は異なるかに関わらず、本開示の発明の主題の範囲内に含められると見なされる。
【符号の説明】
【０１５２】
１０  装飾用積層体
１２  航空機
１３  客室内部側壁
１４  天井パネル
１５  床パネル
１６  収納ビン
１７  窓用日よけ
２８  構造構成要素
６２ａ  第１層
６２ｂ  第２層
６４ａ  第１面
６４ｂ  第２面
７４  熱可塑性フルオロポリマー材料
７６  装飾層
８１  抗菌剤
１１０  装飾用積層体
１２８  構造構成要素
１２８ａ  内部構造構成要素
１６２  積層体層
１６２ａ  第１積層体層
１６２ｂ  第２積層体層
１６４ａ  第１面
１６４ｂ  第２面
１６６  装飾材料面
１６８  透過性の外観
１７０ａ  第１面
１７０ｂ  第２面
１７２  不透明の外観
１７４  熱可塑性フルオロポリマー材料
１７６  装飾層
１７８ａ  第１面
１７８ｂ  第２面
１８１  粉末化銀のナノ粒子
１８４  樹脂層
１８６  熱硬化性樹脂材料
１８８ａ  第１面
１８８ｂ  第２面
１９０  接着層
１９０ａ  感圧接着剤
１９２ａ  第１面
１９２ｂ  第２面
１９４  剥離ライナー
１９６  接合面
１９８ａ  上部
２１０  装飾用積層体
２２８  構造構成要素
２６２ａ  第１積層体層
２６２ｂ  第２積層体層
２６２ｃ  第３積層体層
２６４ａ  第１面
２６４ｂ  第２面
２６６  装飾材料面
２６８  透過性の外観
２７０ａ  第１面
２７０ｂ  第２面
２７２  不透明の外観
２７４  熱可塑性フルオロポリマー材料
２７５ａ  第１面
２７５ｂ  第２面
２７６  装飾層
２７８ａ  第１面
２７８ｂ  第２面
２８１  抗菌性コーティング
２８４  樹脂層
２８６  熱硬化性樹脂材料
２８８ａ  第１面
２８８ｂ  第２面
２９０  接着層
２９０ａ  感圧接着剤
２９０ｂ  スプレー接着剤層
２９２ａ  第１面
２９２ｂ  第２面
２９６  接合面
２９８ａ  上部
２９８ｂ  基部
３１０  装飾用積層体
３２８  構造構成要素
３２８ｂ  組立構造複合パネル
３６２ａ  第１積層体層
３６２ｂ  第２積層体層
３６２ｃ  第３積層体層
３６４ａ  第１面
３６４ｂ  第２面
３６６  印刷装飾材料面
３７０ａ  第１面
３７０ｂ  第２面
３７２  不透明の外観
３７４  熱可塑性フルオロポリマー材料
３７５ａ  第１面
３７５ｂ  第２面
３７６  装飾層
３７８ａ  第１面
３７８ｂ  第２面
３８０  可視材料
３８１  抗菌性コーティング
３８２  非可視光活性化材料
３８４  樹脂層
３８６  熱硬化性樹脂材料
３８８ａ  第１面
３８８ｂ  第２面
３９０  接着層
３９０ａ  感圧接着剤
３９２ａ  第１面
３９２ｂ  第２面
３９６  接合面
３９８ａ  上部
３９８ｂ  基部
４００  位置システムパターン
４００ａ  位置合せパターン
４０２ａ、４０２ｂ  製造位置ターゲット
４０２ｃ  組立位置ターゲット
４０４  装飾領域
４０６  位置合せシーム
４０８  第１テーマ
４１０  第２テーマ
４１２  光源
４１２ａ紫外（ＵＶ）光源
４１４  照明
４１６  接続要素
４１８  照明システム
５００  方法
５０２  ステップ
５０４  ステップ
５０６  ステップ
５０８  ステップ
５１０  ステップ
５１２  ステップ
６００  航空機の製造及び保守点検方法
６０４  仕様及び設計フェーズ
６０６  材料調達フェーズ
６０８  構成要素及び部分組立品の製造フェーズ
６１０  システム統合フェーズ
６１２  認証及び搬送フェーズ
６１４  就航中フェーズ
６１６  定期整備及び保守点検
６２０  航空機
６２２  フレーム
６２４  システム
６２６  内部
【図１】
2020026134.tif 000003
【図２】
2020026134.tif 000004
【図３Ａ】
2020026134.tif 000005
【図３Ｂ】
2020026134.tif 000006
【図４Ａ】
2020026134.tif 000007
【図４Ｂ】
2020026134.tif 000008
【図５Ａ】
2020026134.tif 000009
【図５Ｂ】
2020026134.tif 000010
【図６】
2020026134.tif 000011
【図７Ａ】
2020026134.tif 000012
【図７Ｂ】
2020026134.tif 000013
【図８】
2020026134.tif 000014
【図９】
2020026134.tif 000015
【図１０】
2020026134.tif 000016
【外国語明細書】
2020026134000001.pdf